(57)【要約】      （修正有）【課題】小型軽量でありながら、高い指向性を有するアンテナ装置を提供する。【解決手段】第１のフェーズライン110及び第２のフェーズラインが形成されたブーム100と、取付部材400でブーム100に回動可能に取り付けられるエレメント200FR、２００FL、２００RR、２００RLと、各エレメントを受信機に接続する給電部350とを備える。フロント側のエレメント200FLはリア側のエレメント200RRに第１のフェーズライン110で接続され、フロント側のエレメント200FRはリア側のエレメント200RLに第２のフェーズラインで接続される。各エレメントと第１のフェーズライン110及び第２のフェーズラインとの間にはインダクタ300FR、３００FL、３００RR、３００RLが挿入され、給電部350はフロント側のエレメント200FR、200FLに接続される。【選択図】図１
2017085470.tif 000002
【特許請求の範囲】
【請求項１】
ブームと、このブームに回動可能に取り付けられる複数のエレメントと、このエレメントを受信機に接続する給電部とを具備しており、前記ブームにはエレメントと接続されるベースローディング用のインダクタが設けられていることを特徴とするアンテナ装置。
【請求項２】
互いに独立した第１及び第２のフェーズラインが形成されたブームと、このブームに取り付けられる４本のエレメントと、このエレメントを前記ブームに回動可能に取り付けるとともに、前記第１及び第２のフェーズラインに接続する取付部材と、前記エレメントを受信機に接続する給電部とを具備しており、前記４本のエレメントは２本がフロント側に、残りの２本がリア側にそれぞれ配置されて全体として略ニの字形状にブームに取り付けられ、フロント側の一方のエレメントはリア側の他方のエレメントに前記第１のフェーズラインで接続され、フロント側の他方のエレメントはリア側の一方のエレメントに前記第２のフェーズラインで接続され、前記ブームの４箇所のエレメントの取付部には、エレメントとフェーズラインとの間に挿入されるベースローディング用のインダクタが配置されており、前記給電部はフロント側の２本のエレメントに接続されており、フロント側のエレメントとリア側のエレメントとの間隔をλ／１６としたことを特徴とするアンテナ装置。
【請求項３】
前記エレメントは、プリント基板に形成されたパターン配線であることを特徴とする請求項１又は２記載のアンテナ装置。
【請求項４】
前記取付部材は、絶縁素材からなるボルト及びナットであることを特徴とする請求項１、２又は３記載のアンテナ装置。
【請求項５】
前記エレメントのプリント基板とブームのプリント基板との間には、エレメントのプリント基板に形成されたエレメントがフロント側とリア側とで平行、かつブームに対して直角になる位置決め機構が設けられていることを特徴とする請求項３記載のアンテナ装置。
【発明の詳細な説明】
【技術分野】
【０００１】
本発明は、指向性が高くかつ小型軽量なアンテナ装置に関する。
【背景技術】
【０００２】
屋外のフィールド内に設置された送信機を小形の受信機を用いて探し出すＡＲＤＦ（アマチュア無線方向探知）と称される競技がある。このＡＲＤＦとは、競技者が受信機とそれに接続されたアンテナ装置とを用いて、送信機から送信されるモールス符号を受信し、所定の時間内に送信機を探索する競技であり、いわば電波を使用したオリエンテーリングである。
このＡＲＤＦでは、送信機の位置を探索しなければならないので、指向性の高いアンテナ装置が使用される。
このアンテナ装置は、ＡＲＤＦの主催者側から３エレメント、フルサイズの八木アンテナが貸与されることが多い。しかしながら、エレメント数の多い八木アンテナは指向性は高いが大型（エレメント長約１０００ｍｍ、ブーム長約１０００ｍｍ）になるため、山野を駆け巡ることが多いＡＲＤＦでは不利になる。また、この八木アンテナはアルミニウム素材で構成されるため重たいものになっている。
このため、競技者は自分で準備した小型軽量の八木アンテナやＨＢ９ＣＶと称されるアンテナ装置を使用することが多い。
なお、ＨＢ９ＣＶとは、スイスのアマチュア無線家であるルドルフ・バームガートナーが開発したアンテナ装置であり、ダイポール・アンテナと同じ形状の１／２波長の２本のエレメントを１／９〜１／８波長離して平行に配置し、それぞれ逆位相になるように給電する構造になっている。
【０００３】
なお、ＡＲＤＦ用ではないが、特開２０１４−００３５４９号公報や特開２０１３−１５０１４１号公報において小型軽量なアンテナが提案されている。
【０００４】
【特許文献１】特開２０１４−００３５４９号公報
【特許文献２】特開２０１３−１５０１４１号公報
【発明の開示】
【発明が解決しようとする課題】
【０００５】
上述したようにＡＲＤＦでは、高い指向性を有しかつ小型軽量なアンテナ装置が要望されているが、日本国内で行われるＡＲＤＦは１４５ＭＨｚ帯の電波を使用することが多いので、ＨＢ９ＣＶでもエレメントは約１０００ｍｍもの長さになってしまっていた。
【０００６】
本発明は、上記事情に鑑みて創案されたもので、より小型軽量でありながら、高い指向性を有するアンテナ装置を提供することを目的としている。
【課題を解決するための手段】
【０００７】
本発明に係るアンテナ装置は、ブームと、このブームに回動可能に取り付けられる複数のエレメントと、このエレメントを受信機に接続する給電部とを具備しており、前記ブームにはエレメントと接続されるベースローディング用のインダクタが設けられている。
【０００８】
また、本発明に係るアンテナ装置は、互いに独立した第１及び第２のフェーズラインが形成されたブームと、このブームに取り付けられる４本のエレメントと、このエレメントを前記ブームに回動可能に取り付けるとともに、前記第１及び第２のフェーズラインに接続する取付部材と、前記エレメントを受信機に接続する給電部とを備えており、前記４本のエレメントは２本がフロント側に、残りの２本がリア側にそれぞれ配置されて全体として略ニの字形状にブームに取り付けられ、フロント側の一方のエレメントはリア側の他方のエレメントに前記第１のフェーズラインで接続され、フロント側の他方のエレメントはリア側の一方のエレメントに前記第２のフェーズラインで接続され、前記ブームの４箇所のエレメントの取付部には、エレメントとフェーズラインとの間に挿入されるベースローディング用のインダクタが配置されており、前記給電部はフロント側の２本のエレメントに接続されており、フロント側のエレメントとリア側のエレメントとの間隔をλ／１６としている。
【発明の効果】
【０００９】
本発明に係るアンテナ装置によると、各エレメントにベースローディングのインダクタを挿入するとともに、各エレメントをブームに対して回動可能に取り付けるため、各エレメントを短くすることができ、しかも不使用時には各エレメントを回動させることで全体を小型軽量にすることができる。
【００１０】
また、エレメント間隔をλ／１６とすることで、フルサイズのＨＢ９ＣＶに比較して面積比を１／５以下としながらも、指向性が高くかつ構造が簡単でしかもより小型軽量なアンテナ装置とすることができた。
しかも、エレメントをプリント基板に形成されたパターン配線とすることで、より軽量化を図ることができ、エレメントが万が一破損した場合でも容易に交換することができるようにした。
さらに、取付部材を絶縁素材からなるボルト及びナットから構成することで、不使用時には各エレメントをブーム内に折り畳み、使用時には各エレメントを伸展させることができるようにしたので、持ち運びをより容易にすることができた。
【図面の簡単な説明】
【００１１】
【図１】本発明の実施の形態に係るアンテナ装置の使用状態の概略的平面図である。
【図２】本発明の実施の形態に係るアンテナ装置の使用状態の概略的底面図である。
【図３】本発明の実施の形態に係るアンテナ装置のブームであるプリント基板の概略的平面図である。
【図４】本発明の実施の形態に係るアンテナ装置のブームであるプリント基板の概略的底面図である。
【図５】本発明の実施の形態に係るアンテナ装置のエレメントを折り畳んだ状態の概略的平面図である。
【図６】本発明の実施の形態に係るアンテナ装置の回路図であって、実線で示した部分はブームの表面側に、破線で示した部分はブームの裏面側にそれぞれ形成されている。
【図７】本発明の実施の形態に係るアンテナ装置の使用状態の一例を示す概略的側面図である。
【図８】本発明の実施の形態に係るアンテナ装置の指向特性を示すグラフである。
【発明を実施するための形態】
【００１２】
なお、本明細書において右側及び左側とはブーム１００を構成するプリント基板の表面側から見た状態での右側及び左側を意味する。
【００１３】
本発明の実施の形態に係るアンテナ装置１０００は、互いに独立した第１のフェーズライン１１０及び第２のフェーズライン１２０が形成されたブーム１００と、このブーム１００に取り付けられる４本のエレメント２００ＦＲ、２００ＦＬ、２００ＲＲ、２００ＲＬと、これらのエレメント２００ＦＲ、２００ＦＬ、２００ＲＲ、２００ＲＬを前記ブーム１００に回動可能に取り付けるとともに、前記第１のフェーズライン１１０及び第２のフェーズライン１２０に接続する取付部材４００と、前記エレメント２００ＦＲ、２００ＦＬ、２００ＲＲ、２００ＲＬを受信機（図示省略）に接続する給電部３５０とを備えており、前記４本のエレメント２００ＦＲ、２００ＦＬ、２００ＲＲ、２００ＲＬは２本がフロント側に、残りの２本がリア側にそれぞれ配置されて全体として略ニの字形状にブーム１００に取り付けられ、フロント側の一方のエレメント２００ＦＬはリア側の他方のエレメント２００ＲＲに前記第１のフェーズライン１１０で接続され、フロント側の他方のエレメント２００ＦＲはリア側の一方のエレメント２００ＲＬに前記第２のフェーズライン１２０で接続され、前記ブーム１００の４箇所のエレメント２００ＦＲ、２００ＦＬ、２００ＲＲ、２００ＲＬの取付部には、各エレメント２００ＦＲ、２００ＦＬ、２００ＲＲ、２００ＲＬと第１のフェーズライン１１０及び第２のフェーズライン１２０との間に挿入されるベースローディング用のインダクタ３００ＦＲ、３００ＦＬ、３００ＲＲ、３００ＲＬが配置されており、前記給電部３５０はフロント側の２本のエレメント２００ＦＲ、２００ＦＬに接続されており、フロント側のエレメント２００ＦＲ、２００ＦＬとリア側のエレメント２００ＲＲ、２００ＲＬとの間隔をλ／１６としている。
【００１４】
このアンテナ装置１０００は、いわゆるＨＢ９ＣＶタイプを改良したものであって、各エレメント２００ＦＲ、２００ＦＬ、２００ＲＲ、２００ＲＬとも給電部３５０を介して受信機からの給電線である同軸ケーブル３７０につながっており、さらに途中で配線が反転、つまり位相が反転している。
【００１５】
前記ブーム１００には、図３及び図４に示すような長方形状（幅寸法５０ｍｍ、長さ寸法１６３ｍｍ）のプリント基板が使用される。このプリント基板の表面側には第１のフェーズライン１１０が、裏面側には第２のフェーズライン１２０がそれぞれ独立した状態で形成されている。そして、第１のフェーズライン１１０と第２のフェーズライン１２０とはフロント側のエレメント２００ＦＲ、２００ＦＬとリア側のエレメント２００ＲＲ、２００ＲＬとを逆位相で接続するために、長方形状のプリント基板の対角線に沿ってクロスした状態で形成されている。
【００１６】
なお、ブーム１００のほぼ全面が絶縁性の樹脂からなるレジストでカバーされている。ただし、第１のフェーズライン１１０及び第２のフェーズライン１２０は、各エレメント２００ＦＲ、２００ＦＬ、２００ＲＲ、２００ＲＬが接続される端部の取付部の近傍のみがレジストから露出している。
なお、第１のフェーズライン１１０と第２のフェーズライン１２０とは幅寸法２ｍｍほどに設定されている。
【００１７】
プリント基板の表面側に形成された第１のフェーズライン１１０は、プリント基板の左上隅部から右下隅部に掛けて形成されている。左上隅部においてはインダクタ３００ＦＬを介してエレメント２００ＦＬに、右下隅部においてはインダクタ３００ＲＲを介してエレメント２００ＲＲにそれぞれ接続される。
【００１８】
また、プリント基板の裏面側に形成された第２のフェーズライン１２０は、プリント基板の右上隅部から左下隅部に掛けて形成されている。右上隅部においてはインダクタ３００ＦＲを介してエレメント２００ＦＲに、左下隅部においてはインダクタ３００ＲＬを介してエレメント２００ＲＬにそれぞれ接続される。
【００１９】
プリント基板の左上隅部には、エレメント２００ＦＬを取り付けるための取付部を構成する左上側貫通孔１３０ＦＬが開設されている。また、この左上側貫通孔１３０ＦＬの周囲には左上側ランド１１１ＦＬが形成されている。この左上側ランド１１１ＦＬは、インダクタ３００ＦＬを介して第１のフェーズライン１１０に接続されることになる。なお、前記左上側貫通孔１３０ＦＬは、後述する取付部材４００を構成するボルトの脚部が貫通する部分である。
【００２０】
プリント基板の右下隅部には、エレメント２００ＲＲを取り付けるための取付部を構成する右下側貫通孔１３０ＲＲが開設されている。また、この右下側貫通孔１３０ＲＲの裏面側の周囲には右下側ランド１１１ＲＲが形成されている（図４参照）。この右下側ランド１１１ＲＲは、表面側のインダクタ３００ＲＲを介して第１のフェーズライン１１０に接続されている。なお、前記右下側貫通孔１３０ＲＲは、後述する取付部材４００のボルトの脚部が貫通する部分である。
【００２１】
プリント基板の右上隅部には、エレメント２００ＦＲを取り付けるための取付部を構成する右上側貫通孔１３０ＦＲが開設されている。また、この右上側貫通孔１３０ＦＲの周囲には右上側ランド１２１ＦＲが形成されている。この右上側ランド１２１ＦＲは、インダクタ３００ＦＲ及び右上側スルーホール１２２ＦＲを介して裏面側の第２のフェーズライン１２０に接続されている。なお、前記右上側貫通孔１３０ＦＲは、後述する取付部材４００のボルトの脚部が貫通する部分である。
【００２２】
プリント基板の左下隅部には、エレメント２００ＲＬを取り付けるための取付部を構成する左下側貫通孔１３０ＲＬが開設されている。また、この左下側貫通孔１３０ＲＬの裏面側の周囲には左下側ランド１２１ＲＬが形成されている。この左下側ランド１２１ＲＬは、インダクタ３００ＲＬ及び左下側スルーホール１２２ＲＬを介して裏面側の第２のフェーズライン１２０に接続されている。なお、前記右上側貫通孔１３０ＦＲは、後述する取付部材４００のボルトの脚部が貫通する部分である。
【００２３】
なお、プリント基板であるブーム１００の表面側には、フロント方向を示す矢印と「ＦＲＯＮＴ」の文字が形成されている。
【００２４】
一方、前記各エレメント２００ＦＲ、２００ＦＬ、２００ＲＲ、２００ＲＬは、細長い帯状のプリント基板２１０ＦＲ、２１０ＦＬ、２１０ＲＲ、２１０ＲＬに形成された導電性を有する幅寸法２ｍｍのパターン配線であり、このパターン配線である各エレメント２００ＦＲ、２００ＦＬ、２００ＲＲ、２００ＲＬの端部にはエレメント側貫通孔（図示省略）が開設されている。また、これらのプリント基板２１０ＦＲ、２１０ＦＬ、２１０ＲＲ、２１０ＲＬは、ほぼ全面が絶縁性の樹脂からなるレジストでカバーされている。ただし、端部のエレメント側貫通孔の周囲の各エレメント２００ＦＲ、２００ＦＬ、２００ＲＲ、２００ＲＬのみがレジストから露出している。
【００２５】
このように構成されたエレメント２００ＦＲ、２００ＦＬ、２００ＲＲ、２００ＲＬは、ベースローディング用の４７０ｎＨのインダクタ３００ＦＲ、３００ＦＬ、３００ＲＲ、３００ＲＬの効果により約１１０ｍｍとフルサイズのＨＢ９ＣＶの約１／５の長さに収めることができた。
【００２６】
ブーム１００及び各エレメント２００ＦＲ、２００ＦＬ、２００ＲＲ、２００ＲＬを上述したように構成したため、このアンテナ装置１０００は使用状態、すなわち各エレメント２００ＦＲ、２００ＦＬ、２００ＲＲ、２００ＲＬを図１及び図２に示すように拡げた状態でもＡ４サイズに収まるものになった。
【００２７】
前記給電部３５０は、同軸コネクタであってエレメント２００ＦＲ及びエレメント２００ＦＬとに平衡−不平衡変換器であるバラン３６０を介して接続されている。この給電部３５０を用いてアンテナ装置１０００と受信機とを同軸ケーブル３７０で接続する。なお、バラン３６０とインダクタ３００ＦＲ、３００ＦＬとの間にはそれぞれ２７ｐＦのキャパシタ３１０が介在されている。
【００２８】
このように構成されたブーム１００及び４本のエレメント２００ＦＲ、２００ＦＬ、２００ＲＲ、２００ＲＬは、取付部材４００でブーム１００の短辺に対して平行になるように二の字形状に取り付けられると、フロント側のエレメント２００ＦＲ、２００ＦＬとリア側のエレメント２００ＲＲ、２００ＲＬとの間のエレメント間隔がλ／１６となるように設定されている。
【００２９】
前記取付部材４００は、ブーム１００の各貫通孔１３０ＦＲ、１３０ＦＬ、１３０ＲＲ、１３０ＲＬと、各エレメント２００ＦＲ、２００ＦＬ、２００ＲＲ、２００ＲＬのエレメント側貫通孔とを貫通する脚部を有するボルトと、このボルトに対応したナットとから構成される。かかる取付部材４００を使用すると、各エレメント２００ＦＲ、２００ＦＬ、２００ＲＲ、２００ＲＬは、取付部材４００を構成するボルトの脚部を中心として回動することができるようになる。
なお、この取付部材４００を構成するボルト及びナットは、ポリカーボネート等の絶縁性の合成樹脂から構成されることが望ましい。構成部材４００に導電性を有する金属製のボルト等を使用すると指向性が悪化するおそれがあるためである。
【００３０】
フロント側のエレメント２００ＦＲ、２００ＦＬが形成されたプリント基板２１０ＦＲ、２１０ＦＬは、エレメント２００ＦＲ、２００ＦＬが、ブーム１００の右上側ランド１２１ＦＲ、左上側ランド１１１ＦＬにそれぞれ接触するように、エレメント２００ＦＲ、２００ＦＬが下向きになるようにして、ブーム１００の表面側から取り付けられる。
【００３１】
また、リア側のエレメント２００ＲＲ、２００ＲＬが形成されたプリント基板２１０ＲＲ、２１０ＲＬは、エレメント２００ＲＲ、２００ＲＬがブーム１００の右下側ランド１１１ＲＲ、左下側ランド１２１ＲＬにそれぞれ接触するように、エレメント２００ＲＲ、２００ＲＬが上向きになるようにして、ブーム１００の裏面側から取り付けられる。
【００３２】
また、このブーム１００には一対の長辺に沿って一対のスリット１４０が開設されている。このスリット１４０は、このアンテナ装置１０００を図７に示すようにヘルメット５００に取り付ける際に使用される部分である。ＡＲＤＦでは、受信機とアンテナ装置とを使用するため、両手が塞がってしまう。これは山野を駆け巡ることが多いＡＲＤＦでは、不便かつ危険なことがある。しかしながら、本発明の実施の形態に係る小型軽量なアンテナ装置１０００をヘルメット５００に取り付けると、受信機だけを持てばよいので、不便さ、危険性を低減させることができる。
【００３３】
図７に示すように、前記スリット１４０にベルト５１０を通してヘルメット５００に取り付けるか、或いはベルト５１０の端部に設けられたフック状部材をスリット１４０に引っかけて前記ベルト５１０を用いてヘルメット５００に取り付けるようにする。
なお、アンテナ装置１０００をヘルメット５００に取り付ける場合、ビーム方向が視線方向と一致する、すなわちエレメント２００ＦＬ、２００ＦＲが前方に位置するようにようにすることが望ましい。
また、このアンテナ装置１０００をヘルメット５００に取り付ける手法は、上述したスリット１４０、ベルト５１０等を使用するものに限定されるものではなく、他の手段でヘルメット５００に取り付けることも可能であることはいうまでもない。
【００３４】
このように構成されたアンテナ装置１０００は、以下のようにして使用する。
使用前には取付部材４００のボルトとナットの螺合状態を緩めて、前記ボルトを軸として各エレメント２００ＦＲ、２００ＦＬ、２００ＲＲ、２００ＲＬを回動させて伸展させる。図１に示すように、全各エレメント２００ＦＲ、２００ＦＬ、２００ＲＲ、２００ＲＬが略ニの字形状、或いは全体が横向きのＨ字形状になった状態で各エレメント２００ＦＲ、２００ＦＬ、２００ＲＲ、２００ＲＬをブーム１００に対して取付部材４００で固定する。
アンテナ装置１０００をヘルメット５００にベルト５１０で固定するとともに、給電部３５０に同軸ケーブル３７０を接続し、アンテナ装置１０００と受信機とを接続する。
【００３５】
不使用時には、図５に示すように、アンテナ装置１０００をヘルメット５００から取り外すとともに、取付部材４００のボルトとナットの螺合状態を緩めて、ボルトを軸として各エレメント２００ＦＲ、２００ＦＬ、２００ＲＲ、２００ＲＬを回動させてブーム１００内に収める。
【００３６】
このように構成されたアンテナ装置１０００、すなわちフロント側のエレメント２００ＦＲ、２００ＦＬの先端間の寸法が２７２ｍｍ、リア側のエレメント２００ＲＲ、２００ＲＬの先端間の寸法が２６０ｍｍ、フロント側のエレメント２００ＦＲ、２００ＦＬとリア側のエレメント２００ＲＲ、２００ＲＬとのエレメント間隔が１３０ｍｍ、インダクタ３００ＦＲ、３００ＦＬ、３００ＲＲ、３００ＲＬが４７０ｎＨ、キャパシタ３１０が２７ｐＦのアンテナ装置１０００で、１４５．０２ＭＨｚの信号を受信しスペクトラムアナライザーでその強度を測定した。
その結果は、図８に示すように、角度が０°の場合の強度は０ｄＢ、９０°の場合は−２０ｄＢ以下、２７０°の場合は−２０ｄＢ以下であった（なお、本テストでは角度０°の場合を０ｄＢと規格化）。
すなわち、サイド方向は切れが良く、ＡＲＤＦアンテナとして実用的なＦ／Ｓ比が得られている。
【００３７】
なお、このアンテナ装置１０００は、フロント側のエレメント２００ＦＲ、２００ＦＬと、リア側のエレメント２００ＲＲ、２００ＲＬが平行で、なおかつブーム１００に対して直角になること、すなわちエレメント間隔が正確にλ／１６になることが非常に重要となる。
このため、エレメント２００ＦＲ、２００ＦＬ、２００ＲＲ、２００ＲＬが形成されたプリント基板とブーム１００のプリント基板との間には、プリント基板に形成された各エレメントエレメント２００ＦＲ、２００ＦＬ、２００ＲＲ、２００ＲＬがフロント側とリア側とで平行、かつブーム１００に対して直角になる位置決め機構が設けられているとよい。
【００３８】
例えば、位置決め機構としては、各エレメント２００ＦＲ、２００ＦＬ、２００ＲＲ、２００ＲＬが形成されたプリント基板２１０ＦＲ、２１０ＦＬ、２１０ＲＲ、２１０ＲＬの基端部に突起を、ブーム１００のプリント基板に前記突起に嵌まり込む凹部をそれぞれ形成しておき、突起が凹部に嵌まり込むと、フロント側のエレメント２００ＦＲ、２００ＦＬと、リア側のエレメント２００ＲＲ、２００ＲＬが平行で、なおかつブーム１００に対して直角になるように構成するものがある。
【００３９】
また、各エレメント２００ＦＲ、２００ＦＬ、２００ＲＲ、２００ＲＬが形成されたプリント基板２１０ＦＲ、２１０ＦＬ、２１０ＲＲ、２１０ＲＬの長手方向のラインを形成するとともに、ブーム１００のプリント基板にもラインを形成し、両ラインが一直線になったならば、フロント側のエレメント２００ＦＲ、２００ＦＬと、リア側のエレメント２００ＲＲ、２００ＲＬが平行で、なおかつブーム１００に対して直角になるように構成するものであってもよい。
【００４０】
また、上述した実施の形態では、このアンテナ装置１０００はヘルメット５００に取り付けて使用するとしたが、腕に付けたり、手で持って使用することもできることはいうまでもない。
【００４１】
なお、上述した実施の形態では、各エレメント２００ＦＲ、２００ＦＬ、２００ＲＲ、２００ＲＬは、それぞれプリント基板２１０ＦＲ、２１０ＦＬ、２１０ＲＲ、２１０ＲＬにパターン配線で形成するとしたが、本発明はこれに限定されるものではない。ステンレススチール等でエレメントを構成することも可能である。ただし、プリント基板に形成することで軽量かつ取り扱いが容易になるというメリットがある。このメリットは山野を駆け巡ることが多いＡＲＤＦでは、競技上大きなメリットとなる。
【００４２】
また、このアンテナ装置１０００は、小型軽量であり、かつプリント基板が主な構成材料になっているので初心者でも簡単に組み立てることができる。このため、アンテナ装置１０００はＡＲＤＦという競技を初心者、特に小中学生にも普及させることに役立つという面がある。このアンテナ装置１０００の組立講習会と、組み立てたアンテナ装置１０００を使用したＡＲＤＦとを同時開催することで、初心者にも手軽にＡＲＤＦと無線通信に対する興味を促すのである。
【００４３】
また、上述した実施の形態では、このアンテナ装置１０００はＡＲＤＦという競技に使用されるとしたが、本発明はこれに限定されるものではなく、各種の用途に使用することができるのはいうまでもない。
【００４４】
さらに、上述した実施の形態では、アンテナ装置１０００は二対のエレメントを有するＨＢ９ＣＶタイプのものとしたが、三対以上のエレメントを有することも可能であり、また八木アンテナ等の他のタイプのアンテナにも適用することはできることはもちろんである。
【符号の説明】
【００４５】
１００      ブーム
１１０      第１のフェーズライン
１２０      第２のフェーズライン
２００ＦＲ  （フロント右側の）エレメント
２００ＦＬ  （フロント左側の）エレメント
２００ＲＲ  （リア右側の）エレメント
２００ＲＬ  （リア左側の）エレメント
３００ＦＲ  インダクタ
３００ＦＬ  インダクタ
３００ＲＲ  インダクタ
３００ＲＬ  インダクタ
３５０      給電部
４００      取付部材
１０００    アンテナ装置
【図１】
2017085470.tif 000003
【図２】
2017085470.tif 000004
【図３】
2017085470.tif 000005
【図４】
2017085470.tif 000006
【図５】
2017085470.tif 000007
【図６】
2017085470.tif 000008
【図７】
2017085470.tif 000009
【図８】
2017085470.tif 000010